(57)【要約】【課題】再生産可能な資源である天然油脂系界面活性剤を主基材として、貯蔵安定性と洗浄効果の両方に優れた液体洗浄剤組成物を提供する。【解決手段】（ａ）過酸化水素、（ｂ）界面活性剤、（ｃ）特定のホウ素含有化合物、（ｄ）隣り合う炭素原子の両方にそれぞれ１つヒドロキシル基を有する部位が１つ以上存在する化合物、及び（ｅ）水を、それぞれ特定比率で含有し、（ｂ）成分中の（ｂ１）一般式（Ｉ）で表される特定の非イオン界面活性剤の割合、（ａ）成分／（ｂ１）成分の質量比が、それぞれ特定範囲にあり、且つ２０℃におけるｐＨが２．５〜７．０である、液体洗浄剤組成物。【選択図】なし【特許請求の範囲】
【請求項１】
下記（ａ）成分０．１〜１０質量％、（ｂ）成分２０〜８０質量％、（ｃ）成分をホウ素原子として０．０５〜２質量％、（ｄ）成分３〜３５質量％、及び（ｅ）成分１０〜６０質量％を含有し、
（ｂ）成分中の（ｂ１）成分の割合が６０質量％以上であり、
（ａ）成分／（ｂ１）成分の質量比が４５／５５〜１／９９であり、且つ
２０℃におけるｐＨが２．５〜７．０である、
液体洗浄剤組成物。
（ａ）成分：過酸化水素
（ｂ）成分：界面活性剤
（ｂ１）成分：下記一般式（Ｉ）で表される非イオン界面活性剤
【化１】
2009263464.tif 000006
〔式中、Ｒ1ＣＯは炭素数６〜２２の飽和又は不飽和脂肪酸残基、Ｒ2は炭素数２〜８のアルキレン基、Ｒ3は炭素数１〜４のアルキル基、ｎはＯＲ2の平均付加モル数であって、２〜５０の数を示す。〕
（ｃ）成分：ホウ酸、ホウ砂及びホウ酸塩から選ばれる少なくとも１種の化合物
（ｄ）成分：隣り合う炭素原子の両方にそれぞれ１つヒドロキシル基を有する部位が１つ以上存在する化合物
（ｅ）成分：水
【請求項２】
更に、（ｆ）成分として漂白活性化剤を０．１〜１０質量％含有する請求項１記載の液体洗浄剤組成物。
【請求項３】
更に、（ｇ）成分としてホスホン酸系金属捕捉剤を０．０１〜２質量％含有する請求項１又は２何れか記載の液体洗浄剤組成物。
【請求項４】
更に、（ｈ）成分としてフェノール系ラジカルトラップ剤を０．０５〜５質量％含有する請求項１〜３何れか記載の液体洗浄剤組成物。
【請求項５】
請求項１〜４の何れか１項記載の液体洗浄剤組成物を繊維製品に塗布し、次いで水系洗浄する工程を有する、繊維製品の洗濯方法。
【発明の詳細な説明】
【技術分野】
【０００１】
本発明は、液体洗浄剤組成物に関する。
【背景技術】
【０００２】
より環境負荷の少ない商品を、より環境負荷の少ない方法で作ることが社会の持続的発展のために求められており、洗浄剤組成物もその例外ではない。自然環境・社会環境を含めて環境に調和し負荷の少ない産業活動、生活活動の達成は今後の最重要課題となっている。洗浄剤組成物に用いられる界面活性剤も環境負荷への配慮をし過ぎるということはない。従来界面活性剤は主に環境汚染を問題にすることが多かったが、環境負荷を考えた場合、製造から使用を経て廃棄に至るすべての影響を考慮することが大切である。界面活性剤の原料としては天然油脂系と石油系があり、天然油脂系は再生産可能な資源であり、石油系はいずれ枯渇する再生産不能の資源である。再生産可能な資源という観点から天然油脂系原料が注目される。
【０００３】
また、環境負荷の観点から少量で高機能（高洗浄力）の商品が求められている。これは包装材料の低減、輸送負荷の低減という点でも環境負荷低減につながる。
【０００４】
少量で洗浄力の高い洗浄剤を得るための１つの方法として、界面活性剤濃度を高めることが考えられるが、一般に、界面活性剤の高濃度溶液は温度によって影響を受けやすく、温度差や濃度によって粘性が変化したり、常温では安定であっても低温では結晶が析出したり、凍結する事がある。このため、液安定性を保持するために、エチレングリコール、プロピレングリコール、ポリエチレングリコール等のグリコール類、メタノール、エタノール等の低級アルコール類、トルエンスルホン酸塩、キシレンスルホン酸塩等のそれ自体はそれほど洗浄力を示さないハイドロトロープ剤を多量に配合する必要が生じるため、液体洗浄剤組成物の少量使用（コンパクト化）商品の開発を困難にしていた。
【０００５】
一方、過酸化水素を配合し、使用時に水で希釈することでｐＨを上昇させる技術（ｐＨジャンプ技術）により、過酸化水素の安定性と洗浄性能を両立させた組成物が知られている（特許文献１〜３参照）。
【特許文献１】特開２００６−１６９５１５号公報
【特許文献２】特開２００７−３０８５９２号公報
【特許文献３】特開２００７−１７７１４５号公報
【発明の開示】
【発明が解決しようとする課題】
【０００６】
本発明の課題は、再生産可能な資源である天然油脂系界面活性剤を主基材として、貯蔵安定性と洗浄効果の両方に優れた液体洗浄剤組成物を提供することにある。より好適には少量使用で高洗浄力が得られる液体洗浄剤組成物を提供することにある。特許文献１〜３は、再生産可能な資源である天然油脂系界面活性剤を主基材とする場合の貯蔵安定性と洗浄効果の両立については言及されていない。
【課題を解決するための手段】
【０００７】
本発明は、下記（ａ）成分０．１〜１０質量％、（ｂ）成分２０〜８０質量％、（ｃ）成分をホウ素原子として０．０５〜２質量％、（ｄ）成分３〜３５質量％、及び（ｅ）成分１０〜６０質量％を含有し、
（ｂ）成分中の（ｂ１）成分の割合が６０質量％以上であり、
（ａ）成分／（ｂ１）成分の質量比が４５／５５〜１／９９であり、且つ
２０℃におけるｐＨが２．５〜７．０である、
液体洗浄剤組成物に関する。
（ａ）成分：過酸化水素
（ｂ）成分：界面活性剤
（ｂ１）成分：下記一般式（Ｉ）で表される非イオン界面活性剤
【０００８】
【化２】
2009263464.tif 000002
【０００９】
〔式中、Ｒ1ＣＯは炭素数６〜２２の飽和又は不飽和脂肪酸残基、Ｒ2は炭素数２〜８のアルキレン基、Ｒ3は炭素数１〜４のアルキル基、ｎはＯＲ2の平均付加モル数であって、２〜５０の数を示す。〕
（ｃ）成分：ホウ酸、ホウ砂及びホウ酸塩から選ばれる少なくとも１種の化合物
（ｄ）成分：隣り合う炭素原子の両方にそれぞれ１つヒドロキシル基を有する部位が１つ以上存在する化合物
（ｅ）成分：水
【００１０】
また、本発明は、上記本発明の液体洗浄剤組成物を繊維製品に塗布し、次いで水系洗浄する工程を有する、繊維製品の洗濯方法に関する。
【発明の効果】
【００１１】
本発明によれば、再生産可能な資源である天然油脂系界面活性剤を主基材として、貯蔵安定性と洗浄効果の両方に優れた液体洗浄剤組成物が得られる。また、少量使用で高洗浄力が得られる液体洗浄剤組成物が得られる。
【発明を実施するための最良の形態】
【００１２】
＜（ａ）成分＞
本発明の液体洗浄剤組成物は（ａ）成分として過酸化水素を含有する。
【００１３】
＜（ｂ）成分＞
本発明の液体洗浄剤組成物は（ｂ）成分として界面活性剤を含有する。界面活性剤としては、非イオン界面活性剤、陰イオン界面活性剤、両性界面活性剤が挙げられる。
【００１４】
非イオン界面活性剤としては、ポリオキシアルキレンソルビタン脂肪酸エステル、ポリオキシアルキレン脂肪酸エステル、ポリオキシアルキレンアルキルエーテル、ポリオキシアルキレンアルキルフェニルエーテル、ショ糖脂肪酸エステル、ソルビタン脂肪酸エステル、脂肪酸アルカノールアミド、アルキルグリコシド等が挙げられる。
【００１５】
陰イオン界面活性剤としては、アルキルベンゼンスルホン酸塩、石鹸、アルキル硫酸塩、ポリオキシエチレンアルキル硫酸塩、α−スルホ脂肪酸エステル、α−オレフィンスルホン酸塩等を挙げることができる。これらの中でもアルキルベンゼンスルホン酸塩、脂肪族α−スルホメチルエステル、アルキル硫酸塩、ポリオキシエチレンアルキル硫酸塩が好ましく、脂肪族α−スルホメチルエステル、アルキル硫酸塩がより好ましい。
【００１６】
両性界面活性剤としては、、モノ又はジアルキルアミン及びそのポリオキシエチレン付加物、モノ又はジ長鎖アルキル第４級アンモニウム塩等の陽イオン界面活性剤、カルボベタイン、スルホベタイン、ヒドロキシスルホベタイン等が挙げられる。
【００１７】
本発明では、（ｂ）成分中、天然油脂系界面活性剤が６０質量％以上であることが好ましく、７０質量％以上がより好ましく、８０質量％以上が更に好ましく、９０質量％以上が特に好ましい。ここで、「天然油脂系界面活性剤」とは、天然油脂由来の原料を用いて得られた界面活性剤をいい、天然油脂由来のアルキル基を有する界面活性剤が包含される。
【００１８】
液体洗浄剤組成物の安定性、洗浄性能、ハイドロトロープ剤の低配合化等、コンパクト化の観点で、本発明では、（ｂ）成分として、下記（ｂ１）成分を所定量含有する。すなわち、（ｂ）成分中の（ｂ１）成分の割合が６０質量％以上であり、７０質量％以上が好ましく、８０質量％以上がより好ましく、９０質量％以上が更に好ましい。下記（ｂ１）成分は、天然油脂由来の原料を用いて製造することができる。
【００１９】
（ｂ１）成分：下記一般式（Ｉ）で表される非イオン界面活性剤
【００２０】
【化３】
2009263464.tif 000003
【００２１】
〔式中、Ｒ1ＣＯは炭素数６〜２２（好ましくは８〜１８、より好ましくは１２〜１６）の飽和又は不飽和脂肪酸残基、Ｒ2は炭素数２〜８（好ましくは２〜３、より好ましくは２）のアルキレン基、Ｒ3は炭素数１〜４（好ましくは１〜３、より好ましくは１）のアルキル基、ｎはＯＲ2の平均付加モル数であって、２〜５０（好ましくは３〜３０、より好ましくは５〜１２）の数を示す。〕
【００２２】
本発明は、本願の液体洗浄剤組成物は、再生産可能な資源を利用するという観点から、（ｂ１）成分の疎水部に用いる炭化水素基は天然油脂系の炭化水素基を用いることを特徴とし、天然油脂系界面活性剤の洗浄力向上、ハイドロトロープ剤の低配合化等による、コンパクト化（少量使用で高洗浄力）を目的とする。（ｂ１）成分を特定量配合することで、貯蔵安定性に優れ、ハイドロトロープ剤の低配合化が可能となる。また、油性汚れへの界面活性剤の浸透性が向上し、高洗浄性能が得られる。更に、（ｂ１）成分の配合により（ａ）成分の保存安定性が向上する。
【００２３】
＜（ｃ）成分＞
本発明の液体洗浄剤剤組成物は、（ｃ）成分としてホウ酸、ホウ砂及びホウ酸塩から選ばれる少なくとも１種の化合物を含有する。ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００２４】
＜（ｄ）成分＞
本発明の液体洗浄剤剤組成物は、（ｄ）成分として隣り合う炭素原子の両方にそれぞれ１つヒドロキシル基を有する部位が１つ以上存在する化合物を含有する。（ｄ）成分としては、下記（１）〜（４）の化合物が好適であり、これらの化合物からなる群より選ばれる少なくとも１種以上を用いることができる。
（１）グリセリン、ジグリセリン、トリグリセリン、アルキル（炭素数１〜１０）グリセリルエーテル、アルキル（炭素数１〜１０）ジグリセリルエーテル、アルキル（炭素数１〜１０）トリグリセリルエーテル、エチレングリコール及び１，２−プロピレングリコールからなる群より選ばれるグリセロール類又はグリコール類
（２）ソルビトール、マンニトール、マルチトース、イノシトール及びフィチン酸からなる群より選ばれる糖アルコール類
（３）グルコース、アピオース、アラビノース、ガラクトース、リキソース、マンノース、ガロース、アルドース、イドース、タロース、キシロース及びフルクトースからなる群より選ばれる還元糖類
（４）デンプン、デキストラン、キサンタンガム、グアガム、カードラン、プルラン、アミロース及びセルロースからなる群より選ばれる多糖類。
【００２５】
本発明では、前記（２）の糖アルコールが好適であり、単独又は複数で用いることができる。特にソルビトールが安定性、漂白効果及び洗浄効果の点から好適である。なお、（３）の還元糖については、還元性のあるアルデヒド基が分子中に存在するため、過酸化水素の安定性に影響することがあるので、使用する場合には注意を要する。
【００２６】
＜（ｅ）成分＞
本発明の液体洗浄剤剤組成物は、（ｅ）成分として水を含有する。
【００２７】
＜（ｆ）成分＞
本発明の液体洗浄剤剤組成物は、要すれば洗浄性能の観点より（ｆ）成分として漂白活性化剤を含有する。漂白活性化剤としては、アルカノイルオキシベンゼン型漂白活性化剤が好ましく、特に炭素数８〜１４、好ましくは８〜１３のアルカノイル基を有するアルカノイルオキシベンゼンスルホン酸、もしくは炭素数８〜１４、好ましくは８〜１３のアルカノイル基を有するアルカノイルオキシベンゼンカルボン酸又はこれらの塩が好ましい。より具体的に好ましい例としては、オクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００２８】
＜（ｇ）成分＞
本発明の液体洗浄剤剤組成物は、要すれば安定性の観点より（ｇ）成分としてホスホン酸系金属捕捉剤を含有する。ホスホン酸系金属捕捉剤としては、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）等の有機ホスホン酸誘導体やその塩を挙げることができる。これらの中でも１−ヒドロキシエタン−１，１−ジホスホン酸やその塩が好ましい。
【００２９】
＜（ｈ）成分＞
本発明の液体洗浄剤剤組成物は、要すれば安定性の観点より（ｈ）成分としてフェノール系ラジカルトラップ剤を含有する。フェノール系ラジカルトラップ剤としては、フェノール性水酸基を有する化合物、フェノール性水酸基を有する化合物のエステル誘導体、フェノール性水酸基を有する化合物のエーテル誘導体等が挙げられる。このような化合物として、より具体的には、クレゾール、チモール、クロロフェノール、ブロモフェノール、メトキシフェノール、ニトロフェノール、ヒドロキシ安息香酸、サリチル酸、ヒドロキシベンゼンスルホン酸、ジ−ｔ−ブチル−ヒドロキシトルエン、ナフトール、ヒドロキノン、カテコール、ピロガロール、フェノキシエタノール、フェノールなどが挙げられる。これらの中でも４−メトキシフェノール、４−ヒドロキシ安息香酸、ヒドロキノン、カテコールがより好ましく、更にラジカルトラップ剤の安定性を考慮すれば、これらの中でも４−メトキシフェノール、４−ヒドロキシ安息香酸が更に好ましく、４−メトキシフェノールが特に好ましい。
【００３０】
＜液体洗浄剤剤組成物＞
本発明の液体洗浄剤組成物は、上記（ａ）成分、（ｂ）成分、（ｃ）成分、（ｄ）成分、及び（ｅ）成分を含有する。また、要すれば更に（ｆ）成分、（ｇ）成分、（ｈ）成分、及びその他成分を含有する。
【００３１】
本発明の組成物中の（ａ）成分の含有量は、洗浄性能、安定性の観点から０．１〜１０質量％であり、０．５〜６質量％が好ましく、１〜４質量％がより好ましい。（ｂ）成分の含有量は、洗浄性能、安定性の観点から２０〜８０質量％であり、２５〜６０質量％が好ましく、３０〜５０質量％がより好ましい。（ｃ）成分の含有量はホウ素原子として、洗浄性能、安定性、ｐＨ調整の観点から０．０５〜２質量％であり、０．１〜１．５質量％が好ましく、０．１５〜１質量％がより好ましく、０．２〜０．５質量％が更に好ましい。（ｄ）成分の含有量は、洗浄性能、安定性、ｐＨ調整の観点から３〜３５質量％であり、５〜３０質量％が好ましく、８〜２５質量％がより好ましく、１０〜２０質量％が更に好ましい。（ｅ）成分の含有量は、洗浄性能、粘度物性、溶解性の観点から１０〜６０質量％であり、１５〜５０質量％が好ましく、２０〜４５質量％がより好ましい。
【００３２】
本発明の液体洗浄剤剤組成物は、更に洗浄性能の観点より（ｆ）成分として漂白活性化剤を含有することが好ましい。本発明の組成物中の（ｆ）成分の含有量は、０．１〜１０質量％が好ましく、０．２〜５質量％がより好ましく、０．５〜３質量％が更に好ましい。
【００３３】
本発明の液体洗浄剤組成物は、更に安定性、液体物性の観点から（ｇ）成分としてホスホン酸系金属捕捉剤を含有することが好ましい。本発明の組成物中の（ｇ）成分の含有量は、０．０１〜２質量％が好ましく、０．０５〜１．５質量％がより好ましく、０．１〜１質量％が更に好ましい。
【００３４】
本発明の液体洗浄剤組成物は、更に安定性、液体物性の観点から（ｈ）成分として、フェノール系ラジカルトラップ剤を含有することが好ましい。本発明の組成物中の（ｈ）成分の含有量は、０．０５〜５質量％が好ましく、０．１〜３質量％がより好ましく、０．５〜２質量％が更に好ましい。
【００３５】
本発明の液体洗浄剤組成物は、安定性、洗浄性能の観点から（ａ）成分／（ｂ１）成分の質量比が４５／５５〜１／９９であり、３０／７０〜３／９７が好ましく、１５／８５〜５／９５がより好ましい。
【００３６】
本発明の液体洗浄剤組成物は、安定性の観点から、組成物原液の２０℃におけるＪＩＳ Ｋ３３６２：１９９８記載の測定によるｐＨは、中性〜酸性が好ましく、具体的には２．５〜７．０であり、３〜６．５が好ましく、３．５〜６がより好ましい。このようなｐＨに調整するためのｐＨ調整剤としては、塩酸、硫酸等の無機酸及び水酸化ナトリウム、水酸化カリウム等の無機塩基並びにクエン酸、コハク酸、リンゴ酸、フマル酸、酒石酸、マロン酸、マレイン酸等の有機酸が好ましい。中でも、塩酸、硫酸等の無機酸及び水酸化ナトリウム、水酸化カリウム等の無機塩基が好ましい。
【００３７】
本発明の液体洗浄剤組成物は、（ｃ）成分及び（ｄ）成分により、液体洗浄剤組成物を水で希釈することでｐＨを上昇させるｐＨジャンプ効果を発現する。これにより洗浄性能が向上する。
【００３８】
本発明では、液体洗浄剤組成物に対して２０００容積倍の水により希釈した液体洗浄剤組成物の希釈液の２０℃におけるｐＨが７〜１０．５になることが漂白／洗浄効果を得る目的から好ましい。更に本発明では、液体洗浄剤組成物に対して１００容積倍の水により希釈した希釈液の２０℃におけるｐＨが７〜９．５になることが漂白／洗浄効果を得る目的から好ましい。このようなｐＨジャンプ効果を得るために（ｃ）成分及び（ｄ）成分は、特定範囲のモル比、及び特定範囲の含有量となるように調整して用いる。
【００３９】
ここで、（ｃ）成分と（ｄ）成分（α，β−ジヒドロキシ化合物）との間には下記のような平衡反応が存在する。
【００４０】
【化４】
2009263464.tif 000004
【００４１】
本発明においては、上記ジ体がｐＨジャンプ系の主要成分であることが、上記２０００容積倍希釈後の希釈液のｐＨを７〜１０．５にし、そして上記１００容積倍希釈後の希釈液のｐＨを７〜９．５にするのに好適である。液体洗浄剤組成物中に存在する全ホウ素化合物に対して、ジ体の含有量が７０〜１００モル％であり、モノ体の含有量が０〜５モル％であり、単独で存在するホウ酸、ホウ砂及び／又はホウ酸塩の含有量が０〜２５モル％であることが好ましい。モノ体、ジ体、並びに単独で存在するホウ酸、ホウ砂及び／又はホウ酸塩がこのような範囲を超える場合には、ｐＨジャンプ効果が不充分となるので、従って優れた洗浄効果が得られにくくなり、また、（ｄ）成分が（ｃ）成分に対して過剰に存在すると過酸化水素の安定性を損なうおそれがある。このため上記のように（ｃ）成分と（ｄ）成分との比率を調整するには注意が必要である。
【００４２】
従って、本発明では（ｄ）成分／（ｃ）成分のモル比（ただし、ホウ砂及び四ホウ酸ナトリウムの場合はホウ素原子を４個含むため、４等量と考える）が１．６〜４．０が好ましく、１．８〜３．５がより好ましく、２．０〜２．８が更に好ましい。このように極限られたモル比で（ｄ）成分／（ｃ）成分を液体洗浄剤組成物中に混合することで、本発明の優れたｐＨジャンプ効果による洗浄効果及び過酸化水素の安定性の両方を満足させることができる。
【００４３】
なお、本発明では、（ｃ）成分及び（ｄ）成分を液体洗浄剤組成物に配合する場合には、液体洗浄剤組成物中では、上記モノ体及びジ体の化合物に変換されている。本明細書において（ｃ）成分の含有量とは、単独、モノ体及びジ体として存在する（ｃ）成分の全含有量を意味する。（ｄ）成分の含有量とは、単独、モノ体及びジ体として存在する（ｄ）成分の全含有量を意味する。
【００４４】
本発明に係わる液体洗浄剤組成物は、洗浄性能を高める目的から分散剤を含有することが好ましく、組成物中の分散剤の含有量は組成物中０．０５〜１４質量％が好ましく、０．１〜８質量％がより好ましい。分散剤としては、特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマー、及び／又は重量平均分子量４千〜２万、好ましくは５千〜１万のポリエチレングリコールから選ばれる非イオン性ポリマーが好ましい。
【００４５】
本発明に係わる液体洗浄剤組成物は、洗浄性能を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、酵素（セルラーゼ、アミラーゼ、プロテアーゼ、リパーゼ）を含有することができる。また染料や顔料のような着色剤、香料、シリコーン類、殺菌剤、紫外線吸収剤等の種々の微量添加物を適量配合してもよい。
【００４６】
本発明に係わる液体洗浄剤組成物の２０℃における粘度は、洗浄性能、液体物性の観点から、好ましくは３０〜４００ｍＰａ・ｓ、より好ましくは４０〜３００ｍＰａ・ｓ、更に好ましくは５０〜２００ｍＰａ・ｓ、特に好ましくは６０〜１００ｍＰａ・ｓである。
【００４７】
本発明に係わる液体洗浄剤組成物は、色柄物の衣類等の繊維製品に使用でき、且つ汚れに直接塗布でき、そのまま洗濯できる。
【００４８】
＜繊維製品の洗濯方法＞
本発明の液体洗浄剤組成物を用いて衣類等の繊維製品を洗濯する場合、本発明の液体洗浄剤組成物を予め水で希釈した後に被洗浄物に接触させても良いが、被洗浄物に直接塗布した後、水で希釈して洗濯した方が洗浄性能が優れる。すなわち、本発明の液体洗浄剤組成物を繊維製品に塗布し、次いで水系洗浄する工程を有する繊維製品の洗濯方法が好適である。塗布部位としては、襟、袖口、染み汚れ等、汚れの集中した部位が好ましい。
【００４９】
本発明の液体洗浄剤組成物の使用濃度は、予め水で希釈して用いる場合であっても、塗布して用いる場合であっても、水系洗浄する場合の洗濯浴中での濃度は、洗浄性能の観点から１０００倍希釈（３０ｇ／３０Ｌ）〜３０００倍希釈（１０ｇ／３０Ｌ）が好ましく、１２００倍希釈〜２８００倍希釈がより好ましく、１５００倍希釈〜２５００倍希釈が更に好ましく、１８００倍希釈〜２２００倍希釈が特に好ましい。
【００５０】
本発明の液体洗浄剤組成物を用いて衣類等の繊維製品を洗濯する場合、本発明の液体洗浄剤組成物以外の洗浄剤の追加添加は特に必要としない。しかし、本発明の効果を阻害しない範囲で本発明の液体洗浄剤組成物以外の洗浄剤や洗浄剤成分を使用することができる。
【実施例】
【００５１】
＜液体洗浄剤組成物＞
表１に示す組成で液体洗浄剤組成物を得た。
【００５２】
＜洗浄試験＞
日東紅茶（黄色パッケージ）８０ｇを３Ｌのイオン交換水にて１５分間煮沸後、糊抜きしたさらし木綿でこし、４０℃に放冷した後、羊毛モスリン（染色試材社製、Ａ−１６）を浸した。約５時間放置後、自然乾燥させ、洗液に色がつかなくなるまで水洗し、脱水、自然乾燥後、６ｃｍ×６ｃｍに裁断し紅茶汚染布として試験に供した。
【００５３】
上記紅茶汚染布５枚に表１の液体洗浄剤組成物を均一塗布（０．５ｇ／枚）したのち、洗浄時間１５分、水量１Ｌ、水の硬度５°（Ｃａ／Ｍｇ＝７／３）水の温度３０℃、ターゴトメーター回転数１２０ｒｐｍ、２０℃水道水にて５分間流水濯ぎ、の条件で洗浄した。
【００５４】
＜洗浄力評価＞
洗浄力は、汚染前の原布及び洗浄前後の汚染布の４７０ｎｍにおける反射率を自記色彩計(島津製作所製)を用いて測定し、次式によって洗浄率（％）を求めた。
洗浄率（％）＝｛（洗浄後の反射率−洗浄前の反射率）／（原布の反射率−洗浄前の反射率）｝×１００
【００５５】
＜安定性評価＞
表１に示す液体洗浄剤組成物を３７．８℃の恒温室に３６０日保管後液の外観を目視で観察し、以下の基準で判定を行った。なお、各組成物は、保管開始時においては、透明均一の外観を呈していた。
判定基準
○：変化が無く良好な状態であった
×：変化があった
【００５６】
【表１】
2009263464.tif 000005
【００５７】
表中の成分は以下のものである。
・ｂ１−１：一般式（Ｉ）中のＲ1ＣＯがパーム核油脂肪酸に由来する脂肪酸残基であり、Ｒ2がエチル基であり、Ｒ3がメチル基であり、ｎが１２である非イオン界面活性剤
・ｂ１−２：一般式（Ｉ）中のＲ1ＣＯがパーム核油脂肪酸に由来する脂肪酸残基であり、Ｒ2がエチル基であり、Ｒ3がメチル基であり、ｎが２０である非イオン界面活性剤
・ｂ１−３：一般式（Ｉ）中のＲ1ＣＯがヤシ油脂肪酸に由来する脂肪酸残基であり、Ｒ2がエチル基であり、Ｒ3がメチル基であり、ｎが１０である非イオン界面活性剤
・ＬＡＳ：アルキルベンゼンスルホン酸塩、アルキル組成  炭素数１２、１４、Ｎａ塩
・ＥＳ：アルキルポリオキシエチレン硫酸塩、アルキル組成  炭素数１２、エチレンオキサイド（以下、ＥＯと表記する）平均付加モル数３、Ｎａ塩
・２級ノニオン：２級アルコールＥＯ付加物、アルキル組成  炭素数１２、ＥＯ平均付加モル数７、日本触媒（株）製、ソフタノール７０
・ＡＥノニオン：炭素数１２、１４の直鎖一級アルコールにＥＯを平均で２０モル付加した非イオン界面活性剤
・ＣＡノニオン：一般式（Ｉ）中のＲ1ＣＯがパーム核油脂肪酸に由来する脂肪酸残基であり、Ｒ2がエチル基であり、Ｒ3が水素原子であり、ｎが１２である非イオン界面活性剤〔（ｂ１）成分には該当しない非イオン界面活性剤〕
・ホスホン酸系金属捕捉剤：１−ヒドロキシエタン−１，１−ジホスホン酸
・フェノールカルボン酸：４−ヒドロキシ安息香酸